(57)【要約】【課題】乾燥効率の向上を可能とする流動層乾燥装置を提供する。【解決手段】中空形状をなす乾燥容器を構成する第２乾燥室１１１ｂの流動層Ｓ２の流動層断面積を上部側に行くほど小さくさせることにより、乾燥が完了した微粒を外部へ排出させることで、第３乾燥室１１１ｃへ乾燥物の移行量を減らし、その分乾燥効率の向上を図るようにしている。この結果、第３乾燥室へ乾燥が完了した乾燥物が流入しないので、乾燥時間の大幅な短縮を図ることができるものである。【選択図】図１
2013167379.tif 000002
【特許請求の範囲】
【請求項１】
中空形状をなす乾燥容器と、
該乾燥容器の一端側に湿潤燃料を投入する湿潤燃料投入部と、
前記乾燥容器の他端側から湿潤燃料が加熱乾燥した乾燥物を排出する乾燥物排出部と、
前記乾燥容器の下部に流動化蒸気又は流動化ガスを供給することで湿潤燃料と共に流動層を形成する流動化蒸気又は流動化ガス供給部と、
前記乾燥容器の上方から流動化蒸気又は流動化ガス及び発生蒸気を排出するガス排出部と、
前記流動層の湿潤燃料の移動方向に乾燥容器を分割して、少なくとも３以上の乾燥室を形成し、各乾燥室内の各々に伝熱管と、を備えてなり、
湿潤燃料投入部側の乾燥室と、乾燥物排出部側の乾燥室との流動層断面積を上部側に行くほど大きくさせると共に、
前記湿潤燃料投入部側の乾燥室に隣接する乾燥室の流動層断面積を上部側に行くほど小さくさせることを特徴とする流動層乾燥装置。
【請求項２】
請求項１において、
前記各乾燥室の底部に乾燥物を乾燥物排出部側の乾燥室へ押し出す押出フィーダを設置してなることを特徴とする流動層乾燥装置。
【請求項３】
請求項１又は２において、
前記乾燥物排出部側の乾燥室にマイクロ波乾燥手段を有することを特徴とする流動層乾燥装置。
【請求項４】
請求項１乃至３のいずれか一つにおいて、
前記湿潤燃料投入部側の乾燥室以外の乾燥室へ導入する流動化蒸気又は流動化ガスを間欠通気することを特徴とする流動層乾燥装置。
【請求項５】
請求項１乃至４のいずれか一つにおいて、
前記各乾燥室に配設される伝熱管が乾燥物の進行方向と直交する方向から挿入されると共に、前記伝熱管に所定間隔を持ってフィンを鉛直軸方向に設置してなることを特徴とする流動層乾燥装置。
【請求項６】
請求項１乃至５のいずれか一つの流動層乾燥装置と、
前記流動層乾燥装置から供給される乾燥炭を処理してガス化ガスに変換する石炭ガス化炉と、
前記ガス化ガスを燃料として運転されるガスタービン（ＧＴ）と、
前記ガスタービンからのタービン排ガスを導入する排熱回収ボイラで生成した蒸気により運転される蒸気タービン（ＳＴ）と、
前記ガスタービン及び／又は前記蒸気タービンと連結された発電機（Ｇ）とを具備することを特徴とする石炭を用いたガス化複合発電システム。
【発明の詳細な説明】
【技術分野】
【０００１】
本発明は、流動化蒸気又は流動化ガスにより被乾燥物を流動させながら乾燥させる流動層乾燥装置に関するものである。
【背景技術】
【０００２】
例えば、石炭ガス化複合発電設備は、石炭をガス化し、コンバインドサイクル発電と組み合わせることにより、従来型の石炭火力に比べてさらなる高効率化・高環境性を目指した発電設備である。この石炭ガス化複合発電設備は、資源量が豊富な石炭を利用可能であることも大きなメリットであり、適用炭種を拡大することにより、さらにメリットが大きくなることが知られている。
【０００３】
従来の石炭ガス化複合発電設備は、一般的に、給炭装置、乾燥装置、石炭ガス化炉、ガス精製装置、ガスタービン設備、蒸気タービン設備、排熱回収ボイラ、ガス浄化装置などを有している。従って、石炭が乾燥されてから粉砕され、石炭ガス化炉に対して、微粉炭として供給されると共に、空気が取り込まれ、この石炭ガス化炉で石炭が燃焼ガス化されて生成ガス（可燃性ガス）が生成される。そして、この生成ガスがガス精製されてからガスタービン設備に供給されることで燃焼して高温・高圧の燃焼ガスを生成し、タービンを駆動する。タービンを駆動した後の排気ガスは、排熱回収ボイラで熱エネルギが回収され、蒸気を生成して蒸気タービン設備に供給され、タービンを駆動する。これにより発電が行なわれる。一方、熱エネルギが回収された排気ガスは、ガス浄化装置で有害物質が除去された後、煙突を介して大気へ放出される。
【０００４】
ところで、このような石炭ガス化複合発電設備にて使用する石炭は、瀝青炭や無煙炭のように高い発熱量を有する高品位の石炭（高品位炭）だけでなく、亜瀝青炭や褐炭のように比較的低い発熱量を有する低品位の石炭（低品位炭）がある。この低品位炭は、持ち込まれる水分量が多く、この水分により発電効率が低下してしまう。そのため、低品位炭の場合には、上述した乾燥装置により石炭を乾燥して水分を除去してから粉砕して石炭ガス化炉に供給する必要がある。
【０００５】
このような石炭を乾燥する乾燥装置としては、下記特許文献１及び２に記載されたものがある。この特許文献１に記載された流動乾燥方法及び流動層乾燥装置は、供給室に燃料供給口から水分を含む湿潤燃料を供給し、供給室及び乾燥分級室の分散板を通しての流動化ガスにより被流動物を流動させて乾燥及び微粉と粗粒に分級処理する際、供給室の流動層の層厚みを乾燥分級室の流動層の層厚みとは別に制御するものである。
【０００６】
また、特許文献２に記載された流動層乾燥機及び乾燥方法は、装入シュート直下部のガス分散板下側から吹き込む熱源兼流動化ガスの流速を、装入シュート直下部以外のガス分散板下側から吹き込む熱源兼流動化ガスの流速よりも速くするようにしている。
【先行技術文献】
【特許文献】
【０００７】
【特許文献１】特開２００８−１２８５２４号公報
【特許文献２】特開２０１１−６９６０９号公報
【発明の概要】
【発明が解決しようとする課題】
【０００８】
上述したように低品位炭は、高品位炭に比べて水分量が多いことから、乾燥装置における流動化不良が発生し、乾燥不良が発生するおそれがある。特に、入口部に近い領域では、水分濃度が高く、粒子の分散性が良くないことから、伝熱管の近傍や底面部での流動化不良、付着、堆積を引き起こし、閉塞に至る可能性もある。そのため、投入する石炭の量を減少させる必要があり、処理量が減少してしまうという問題がある。
【０００９】
上述した特許文献１に記載された提案では、供給室の流動層の層厚みを乾燥分級室の流動層の層厚みとは別に制御することで、水分量の多い原料（原炭）を原料粒子の塊成化や装置への付着の発生を抑制しながら安定的に乾燥及び分級するものである。しかし、この技術では、供給室における流動層単位体積あたりの水分蒸発負荷が増加してしまい、原料を適正に乾燥するための熱量が不足してしまうという問題がある。
【００１０】
また、特許文献２に記載された提案では、熱源兼流動化ガスの流速を、装入シュート直下部以外のガス分散板下側から吹き込む熱源兼流動化ガスの流速よりも速くするようにしているが、例えば褐炭等の低品位炭は、水分含量が６０％以上と、高品位炭である石炭の水分量（９〜１３％）よりも多いので、流動化ガスを高速にするだけでは不十分であり、低品位炭の乾燥に対応した更なる対策が切望されている。
また、低品位炭の乾燥用に水蒸気を利用した場合では、投入直後の原料粒子に水蒸気が凝縮し、凝集粒子を形成し、流動不良を発生させてしまう虞がある。
さらに、大容量の乾燥装置においては、乾燥を促進するために伝熱管が配設されているものもあるが、水分が極めて多い原料を供給した場合には、この伝熱管の周囲に付着し閉塞させてしまうという虞がある。
【００１１】
また、供給する原炭でも微粒の場合には、その表面積が大きく乾燥速度が速いため、乾燥がほぼ完了するが、乾燥後の微粒がそのまま滞留することで乾燥装置全体の効率が低下してしまう、という問題がある。
【００１２】
本発明は、上述した課題を解決するものであり、乾燥効率の向上を可能とする流動層乾燥装置及び石炭を用いたガス化複合発電システムを提供することを目的とする。
【課題を解決するための手段】
【００１３】
上述した課題を解決するための本発明の第１の発明は、中空形状をなす乾燥容器と、該乾燥容器の一端側に湿潤燃料を投入する湿潤燃料投入部と、前記乾燥容器の他端側から湿潤燃料が加熱乾燥した乾燥物を排出する乾燥物排出部と、前記乾燥容器の下部に流動化蒸気又は流動化ガスを供給することで湿潤燃料と共に流動層を形成する流動化蒸気又は流動化ガス供給部と、前記乾燥容器の上方から流動化蒸気又は流動化ガス及び発生蒸気を排出するガス排出部と、前記流動層の湿潤燃料の移動方向に乾燥容器を分割して、少なくとも３以上の乾燥室を形成し、各乾燥室内の各々に伝熱管と、を備えてなり、湿潤燃料投入部側の乾燥室と、乾燥物排出部側の乾燥室との流動層断面積を上部側に行くほど大きくさせると共に、前記湿潤燃料投入部側の乾燥室に隣接する乾燥室の流動層断面積を上部側に行くほど小さくさせることを特徴とする流動層乾燥装置にある。
【００１４】
第２の発明は、第１の発明において、前記各乾燥室の底部に乾燥物を乾燥物排出部側の乾燥室へ押し出す押出フィーダを設置してなることを特徴とする流動層乾燥装置にある。
【００１５】
第３の発明は、第１又は２の発明において、前記乾燥物排出部側の乾燥室にマイクロ波乾燥手段を有することを特徴とする流動層乾燥装置にある。
【００１６】
第４の発明は、第１乃至３のいずれか一つの発明において、前記湿潤燃料投入部側の乾燥室以外の乾燥室へ導入する流動化蒸気又は流動化ガスを間欠通気することを特徴とする流動層乾燥装置にある。
【００１７】
第５の発明は、第１乃至４のいずれか一つの発明において、前記各乾燥室に配設される伝熱管が乾燥物の進行方向と直交する方向から挿入されると共に、前記伝熱管に所定間隔を持ってフィンを鉛直軸方向に設置してなることを特徴とする流動層乾燥装置にある。
【００１８】
第６の発明は、第１乃至５のいずれか一つの流動層乾燥装置と、前記流動層乾燥装置から供給される乾燥炭を処理してガス化ガスに変換する石炭ガス化炉と、前記ガス化ガスを燃料として運転されるガスタービン（ＧＴ）と、前記ガスタービンからのタービン排ガスを導入する排熱回収ボイラで生成した蒸気により運転される蒸気タービン（ＳＴ）と、前記ガスタービン及び／又は前記蒸気タービンと連結された発電機（Ｇ）とを具備することを特徴とする石炭を用いたガス化複合発電システムにある。
【発明の効果】
【００１９】
本発明によれば、前記湿潤燃料投入部側の乾燥室に隣接する乾燥室の流動層断面積を上部側に行くほど小さくさせることにより、乾燥が完了した微粒を外部へ排出させることで、乾燥物排出部側の乾燥室への乾燥物の移行量を減らし、その分乾燥効率の向上を図るようにしている。この結果、第３乾燥室へ乾燥が完了した乾燥物が流入しないので、乾燥時間の大幅な短縮を図ることができる。
【図面の簡単な説明】
【００２０】
【図１】図１は、本発明の実施例１に係る流動層乾燥装置を表す概略側面図である。
【図２】図２は、乾燥炭の粒子径（μｍ）と、乾燥炭の積算重量（％）との関係図である。
【図３】図３は、流動化ガスの通気状態の一例を示す図である。
【図４】図４は、本発明の実施例２に係る流動層乾燥装置を表す概略側面図である。
【図５】図５は、実施例２の流動層乾燥装置を表すＡ−Ａ線概略断面図である。
【図６】図６は、本発明の実施例３に係る流動層乾燥装置を表す概略側面図である。
【図７】図７は、本発明の実施例４に係る流動層乾燥装置を表す概略側面図である。
【図８】図８は、実施例４の流動層乾燥装置を表すＢ−Ｂ線概略断面図である。
【図９】図９は、実施例の流動層乾燥装置が適用された石炭ガス化複合発電設備の概略構成図である。
【発明を実施するための形態】
【００２１】
以下、この発明につき図面を参照しつつ詳細に説明する。なお、この実施例により本発明が限定されるものではなく、また、実施例が複数ある場合には、各実施例を組み合わせて構成するものも含むものである。また、下記実施例における構成要素には、当業者が容易に想定できるもの、あるいは実質的に同一のものが含まれる。
【実施例１】
【００２２】
図１は、本発明の実施例１に係る流動層乾燥装置を表す概略側面図、図９は、実施例１の流動層乾燥装置が適用された石炭ガス化複合発電設備の概略構成図である。
【００２３】
実施例１の石炭ガス化複合発電設備（ＩＧＣＣ：Ｉｎｔｅｇｒａｔｅｄ  Ｃｏａｌ  Ｇａｓｉｆｉｃａｔｉｏｎ  Ｃｏｍｂｉｎｅｄ  Ｃｙｃｌｅ）は、空気を酸化剤としてガス化炉で石炭ガスを生成する空気燃焼方式を採用し、ガス精製装置で精製した後の石炭ガスを燃料ガスとしてガスタービン設備に供給して発電を行っている。即ち、本実施例の石炭ガス化複合発電設備は、空気燃焼方式（空気吹き）の発電設備である。この場合、ガス化炉に供給する湿潤燃料として低品位炭を使用している。
【００２４】
実施例１において、図９に示すように、石炭ガス化複合発電設備１０は、給炭装置１１、流動層乾燥装置１２、微粉炭機（ミル）１３、石炭ガス化炉１４、チャー回収装置１５、ガス精製装置１６、ガスタービン設備１７、蒸気タービン設備１８、発電機１９、排熱回収ボイラ（ＨＲＳＧ：Ｈｅａｔ  Ｒｅｃｏｖｅｒｙ  Ｓｔｅａｍ  Ｇｅｎｅｒａｔｏｒ）２０を有している。
【００２５】
給炭装置１１は、原炭バンカ２１と、石炭供給機２２と、クラッシャ２３とを有している。原炭バンカ２１は、低品位炭を貯留可能であって、所定量の低品位炭を石炭供給機２２に投下することができる。石炭供給機２２は、原炭バンカ２１から投下された低品位炭をコンベアなどにより搬送し、クラッシャ２３に投下することができる。このクラッシャ２３は、投下された低品位炭を所定の大きさに破砕することができる。
【００２６】
流動層乾燥装置１２は、給炭装置１１により投入された低品位炭に対して乾燥用蒸気（過熱蒸気）を供給することで、この低品位炭を流動させながら加熱乾燥するものであり、低品位炭が含有する水分を除去することができる。そして、この流動層乾燥装置１２は、下部から取り出された乾燥済の低品位炭を冷却する冷却器３１が設けられ、乾燥冷却済の乾燥炭が乾燥炭バンカ３２に貯留される。また、流動層乾燥装置１２は、上部から取り出された蒸気から乾燥炭の粒子を分離する乾燥炭サイクロン３３と乾燥炭電気集塵機３４が設けられ、蒸気から分離された乾燥炭の粒子が乾燥炭バンカ３２に貯留される。なお、乾燥炭電気集塵機３４で乾燥炭が分離された蒸気は、蒸気圧縮機３５で圧縮されてから流動層乾燥装置１２に乾燥用蒸気として供給される。
【００２７】
微粉炭機１３は、粉砕機であって、流動層乾燥装置１２により乾燥された低品位炭（乾燥炭）を細かい粒子状に粉砕して微粉炭を製造するものである。即ち、微粉炭機１３は、乾燥炭バンカ３２に貯留された乾燥炭が石炭供給機３６により投下され、この乾燥炭を所定粒径以下の低品位炭、つまり、微粉炭とするものである。そして、微粉炭機１３で粉砕後の微粉炭は、微粉炭バグフィルタ３７ａ，３７ｂにより搬送用ガスから分離され、微粉炭供給ホッパ３８ａ，３８ｂに貯留される。
【００２８】
石炭ガス化炉１４は、微粉炭機１３で処理された微粉炭が供給可能であると共に、チャー回収装置１５で回収されたチャー（石炭の未燃分）が戻されてリサイクル可能となっている。
【００２９】
即ち、石炭ガス化炉１４は、ガスタービン設備１７（圧縮機６１）から圧縮空気供給ライン４１が接続されており、このガスタービン設備１７で圧縮された圧縮空気が供給可能となっている。空気分離装置４２は、大気中の空気から窒素と酸素を分離生成するものであり、第１窒素供給ライン４３が石炭ガス化炉１４に接続され、この第１窒素供給ライン４３に微粉炭供給ホッパ３８ａ，３８ｂからの給炭ライン４４ａ，４４ｂが接続されている。また、第２窒素供給ライン４５も石炭ガス化炉１４に接続され、この第２窒素供給ライン４５にチャー回収装置１５からのチャー戻しライン４６が接続されている。更に、酸素供給ライン４７は、圧縮空気供給ライン４１に接続されている。この場合、窒素は、石炭やチャーの搬送用ガスとして利用され、酸素は、酸化剤として利用される。
【００３０】
石炭ガス化炉１４は、例えば、噴流床形式のガス化炉であって、内部に供給された石炭、チャー、空気（酸素）、またはガス化剤としての水蒸気を燃焼・ガス化すると共に、二酸化炭素を主成分とする可燃性ガス（生成ガス、石炭ガス）が発生し、この可燃性ガスをガス化剤としてガス化反応が起こる。なお、石炭ガス化炉１４は、微粉炭の混入した異物を除去する異物除去装置４８が設けられている。この場合、石炭ガス化炉１４は噴流床ガス化炉に限らず、流動床ガス化炉や固定床ガス化炉としてもよい。そして、この石炭ガス化炉１４は、チャー回収装置１５に向けて可燃性ガスのガス生成ライン４９が設けられており、チャーを含む可燃性ガスが排出可能となっている。この場合、ガス生成ライン４９にガス冷却器を設けることで、可燃性ガスを所定温度まで冷却してからチャー回収装置１５に供給するとよい。
【００３１】
チャー回収装置１５は、集塵装置５１と供給ホッパ５２とを有している。この場合、集塵装置５１は、１つまたは複数のバグフィルタやサイクロンにより構成され、石炭ガス化炉１４で生成された可燃性ガスに含有するチャーを分離することができる。そして、チャーが分離された可燃性ガスは、ガス排出ライン５３を通してガス精製装置１６に送られる。供給ホッパ５２は、集塵装置５１で可燃性ガスから分離されたチャーを貯留するものである。なお、集塵装置５１と供給ホッパ５２との間にビンを配置し、このビンに複数の供給ホッパ５２を接続するように構成してもよい。そして、供給ホッパ５２からのチャー戻しライン４６が第２窒素供給ライン４５に接続されている。
【００３２】
ガス精製装置１６は、チャー回収装置１５によりチャーが分離された可燃性ガスに対して、硫黄化合物や窒素化合物などの不純物を取り除くことで、ガス精製を行うものである。そして、ガス精製装置１６は、可燃性ガスを精製して燃料ガスを製造し、これをガスタービン設備１７に供給する。なお、このガス精製装置１６では、チャーが分離された可燃性ガス中にはまだ硫黄分（Ｈ２Ｓ）が含まれているため、アミン吸収液によって除去することで、硫黄分を最終的には石膏として回収し、有効利用する。
【００３３】
ガスタービン設備１７は、圧縮機６１、燃焼器６２、タービン６３を有しており、圧縮機６１とタービン６３は、回転軸６４により連結されている。燃焼器６２は、圧縮機６１から圧縮空気供給ライン６５が接続されると共に、ガス精製装置１６から燃料ガス供給ライン６６が接続され、タービン６３に燃焼ガス供給ライン６７が接続されている。また、ガスタービン設備１７は、圧縮機６１から石炭ガス化炉１４に延びる圧縮空気供給ライン４１が設けられており、中途部に昇圧機６８が設けられている。従って、燃焼器６２では、圧縮機６１から供給された圧縮空気とガス精製装置１６から供給された燃料ガスとを混合して燃焼し、タービン６３にて、発生した燃焼ガスにより回転軸６４を回転することで発電機１９を駆動することができる。
【００３４】
蒸気タービン設備１８は、ガスタービン設備１７における回転軸６４に連結されるタービン６９を有しており、発電機１９は、この回転軸６４の基端部に連結されている。排熱回収ボイラ２０は、ガスタービン設備１７（タービン６３）からの排ガスライン７０に設けられており、空気と高温の排ガスとの間で熱交換を行うことで、蒸気を生成するものである。そのため、排熱回収ボイラ２０は、蒸気タービン設備１８のタービン６９との間に蒸気供給ライン７１が設けられると共に、蒸気回収ライン７２が設けられ、蒸気回収ライン７２に復水器７３が設けられている。従って、蒸気タービン設備１８では、排熱回収ボイラ２０から供給された蒸気によりタービン６９が駆動し、回転軸６４を回転することで発電機１９を駆動することができる。
【００３５】
そして、排熱回収ボイラ２０で熱が回収された排ガスは、ガス浄化装置７４により有害物質を除去され、浄化された排ガスは、煙突７５から大気へ放出される。
【００３６】
ここで、実施例１の石炭ガス化複合発電設備１０の作動について説明する。
【００３７】
実施例１の石炭ガス化複合発電設備１０において、給炭装置１１にて、原炭（低品位炭）が原炭バンカ２１に貯留されており、この原炭バンカ２１の低品位炭が石炭供給機２２によりクラッシャ２３に投下され、ここで所定の大きさに破砕される。そして、破砕された低品位炭は、流動層乾燥装置１２により加熱乾燥された後、冷却器３１により冷却され、乾燥炭バンカ３２に貯留される。また、流動層乾燥装置１２の上部から取り出された蒸気は、乾燥炭サイクロン３３及び乾燥炭電気集塵機３４により乾燥炭の粒子が分離され、蒸気圧縮機３５で圧縮されてから流動層乾燥装置１２に乾燥用蒸気として戻される。一方、蒸気から分離された乾燥炭の粒子は、乾燥炭バンカ３２に貯留される。
【００３８】
乾燥炭バンカ３２に貯留される乾燥炭は、石炭供給機３６により微粉炭機１３に投入され、ここで、細かい粒子状に粉砕されて微粉炭が製造され、微粉炭バグフィルタ３７ａ，３７ｂを介して微粉炭供給ホッパ３８ａ，３８ｂに貯留される。この微粉炭供給ホッパ３８ａ，３８ｂに貯留される微粉炭は、空気分離装置４２から供給される窒素により第１窒素供給ライン４３を通して石炭ガス化炉１４に供給される。また、後述するチャー回収装置１５で回収されたチャーが、空気分離装置４２から供給される窒素により第２窒素供給ライン４５を通して石炭ガス化炉１４に供給される。更に、後述するガスタービン設備１７から抽気された圧縮空気が昇圧機６８で昇圧された後、空気分離装置４２から供給される酸素と共に圧縮空気供給ライン４１を通して石炭ガス化炉１４に供給される。
【００３９】
石炭ガス化炉１４では、供給された微粉炭及びチャーが圧縮空気（酸素）により燃焼し、微粉炭及びチャーがガス化することで、二酸化炭素を主成分とする可燃性ガス（石炭ガス）を生成することができる。そして、この可燃性ガスは、石炭ガス化炉１４からガス生成ライン４９を通して排出され、チャー回収装置１５に送られる。
【００４０】
このチャー回収装置１５にて、可燃性ガスは、まず、集塵装置５１に供給されることで、ここで可燃性ガスからこのガスに含有するチャーが分離される。そして、チャーが分離された可燃性ガスは、ガス排出ライン５３を通してガス精製装置１６に送られる。一方、可燃性ガスから分離した微粒チャーは、供給ホッパ５２に堆積され、チャー戻しライン４６を通して石炭ガス化炉１４に戻されてリサイクルされる。
【００４１】
チャー回収装置１５によりチャーが分離された可燃性ガスは、ガス精製装置１６にて、硫黄化合物や窒素化合物などの不純物が取り除かれてガス精製され、燃料ガスが製造される。そして、ガスタービン設備１７では、圧縮機６１が圧縮空気を生成して燃焼器６２に供給すると、この燃焼器６２は、圧縮機６１から供給される圧縮空気と、ガス精製装置１６から供給される燃料ガスとを混合し、燃焼することで燃焼ガスを生成し、この燃焼ガスによりタービン６３を駆動することで、回転軸６４を介して発電機１９を駆動し、発電を行うことができる。
【００４２】
そして、ガスタービン設備１７におけるタービン６３から排出された排気ガスは、排熱回収ボイラ２０にて、空気と熱交換を行うことで蒸気を生成し、この生成した蒸気を蒸気タービン設備１８に供給する。蒸気タービン設備１８では、排熱回収ボイラ２０から供給された蒸気によりタービン６９を駆動することで、回転軸６４を介して発電機１９を駆動し、発電を行うことができる。
【００４３】
その後、ガス浄化装置７４では、排熱回収ボイラ２０から排出された排気ガスの有害物質が除去され、浄化された排ガスが煙突７５から大気へ放出される。
【００４４】
以下、上述した石炭ガス化複合発電設備１０における流動層乾燥装置１２について詳細に説明する。
【００４５】
図１に示すように、実施例１に係る流動層乾燥装置１２Ａは、乾燥容器１０１と、原炭投入口（湿潤燃料投入部）１０２と、乾燥炭排出口（乾燥物排出部）１０３と、流動化蒸気又は流動化ガス（以下「流動化ガス」という）１０４を供給する流動化ガス供給部（図示せず）と、ガス排出口（ガス排出部）１０５ａ、１０５ｂ、１０５ｃと、伝熱管（加熱部）１０６ａ、１０６ｂ、１０６ｃとを有している。
【００４６】
乾燥容器１０１は、中空箱型形状をなしており、一端側に原炭（湿潤燃料）を投入する原炭投入口１０２が形成される一方、他端側の下部に原炭を加熱乾燥した乾燥物を排出する乾燥炭排出口１０３が形成され、該乾燥容器１０１の内部で押し出し形式（プラグフロー）により原炭を乾燥している。この場合、原炭投入口１０２や乾燥炭排出口１０３を乾燥容器１０１の端部に１つずつ設けたが、複数であってもよい。また、乾燥容器１０１は、その底部から上方へ流動化ガス（過熱蒸気）１０４を供給する流動化ガス供給部が設けられている。更に、乾燥容器１０１は、乾燥容器１０１の天井板１０１ｂに流動化ガス１０４及び発生蒸気を排出するガス排出口１０５ａ、１０５ｂ、１０５ｃが形成されている。
【００４７】
この乾燥容器１０１は、原炭投入口１０２から原炭が供給されると共に、流動化ガス供給部から散気管１０９ａ並びに、風箱１０９ｂ、１０９ｃ及び分散板１０８を通して流動化ガス１０４が供給されることで、この分散板１０８の上方に所定厚さの流動層Ｓが形成されると共に、この流動層Ｓの上方にフリーボード部Ｆが形成される。
【００４８】
そして、本実施例の乾燥容器１０１は、内部を２枚の仕切板１１３ａ、１１３ｂにより仕切られており、原炭の流動方向の上流（湿潤燃料投入部１０２側）側に設けられた第１乾燥室１１１ａと、原炭の流動方向の下流（乾燥物排出部１０３側）側に設けられた第２乾燥室１１１ｂ及び第３乾燥室１１１ｃとで構成されている。
【００４９】
この仕切板１１３ａ、１１３ｂは、乾燥容器１０１の天井板１０１ｂ側から垂下され、分散板１０８の上面と所定間隔の原炭が通過する開口部（流通口）１１９が形成されている。なお、開口部の形状及び開口大きさは、原炭の湿潤状態により、適宜変更又は変更可能となるようにしてもよい。また仕切板１１３ａ、１１３ｂはその下方側が左右に広がるようになっており、第２乾燥室１１１ｂの流動層断面積を下側に行くほど大きくさせている。
また、乾燥容器１０１全体も逆台形状として、第１乾燥室１１１ａと第３乾燥室１１１ｃの容器前壁１０１ｃ及び容器後壁１０１ｄも斜めになっている。
【００５０】
この結果、本実施例の乾燥容器１０１においては、第１乾燥室１１１ａと第３乾燥室１１１ｃの流動層断面積を上部側に行くほど大きくさせるように、拡開させている。
また、第１乾燥室１１１ａと第３乾燥室１１１ｃとに挟まれる第２乾燥室１１１ｂの流動層断面積を上部側に行くほど小さくさせている。
【００５１】
第１乾燥室１１１ａ、第２乾燥室１１１ｂ及び第３乾燥室１１１ｃは各々独立しており、第１乾燥室１１１ａは、フリーボード部Ｆ１と流動層Ｓ１が形成され、原炭の初期乾燥（予備乾燥）を行う領域となっており、第２乾燥室１１１ｂは、フリーボード部Ｆ２と流動層Ｓ２が形成され、原炭の中期乾燥（本乾燥）を行う領域となっており、第３乾燥室１１１ｃは、フリーボード部Ｆ３と流動層Ｓ３が形成され、原炭の後期乾燥（仕上乾燥）を行う領域となっている。
【００５２】
この場合、流動化ガス１０４を供給するには、第１乾燥室１１１ａの底部側には、容器前壁１０１ｃから散気管１０９ａが挿入され、流動化ガス１０４が内部に供給されている。
また、第２乾燥室１１１ｂ及び第３乾燥室１１１ｃの底部には、第２乾燥室１１１ｂ及び第３乾燥室１１１ｃに対応した風箱１０９ｂ，１０９ｃが区画されている。散気管１０９ａと風箱１０９ｂ及び１０９ｃにより流動化ガス供給部が構成されている。
そして、図示しない流量調整弁の開度を調整することで、散気管１０９ａ、風箱１０９ｂ，１０９ｃ内に供給する流動化ガス１０４のガス量を調整することができる。
【００５３】
なお、散気管１０９ａにはその下面側にガス噴出ノズルが設けられており、下向きに流動化ガス１０４を噴出させた後、流動層Ｓ1側に上昇させるようにしている。
【００５４】
本実施例では、第２乾燥室１１１ｂ流動層Ｓ2の流動層断面積を上部側に行くほど狭くするように、小さくさせているので、流動化ガスの空塔速度が速くなり、第２乾燥室１１１ｂで乾燥した微粒は、ガス排出口１０５ｂから外部に飛散させて除去することができる。
【００５５】
これにより、既に乾燥が完了した所定径（例えば３００μｍ）以下の微粒を外部へ排出させることができるので、第３乾燥室１１１ｃには、乾燥済みの微粒が導入されることがなくなり、その分乾燥効率が向上する。
【００５６】
すなわち、第２乾燥室１１１ｂにおいて従来のように乾燥済みの微粒を排出せずに、第３乾燥室１１１ｃまで乾燥済みの微粒と未乾燥の湿潤原料とを導入する場合には、乾燥不要な乾燥済みの微粒まで乾燥するので、無駄な乾燥及び乾燥効率の低下を招いている。
【００５７】
これに対し、本実施例のように、乾燥済みの微粒を第２乾燥室１１１ｂから外部に排出することで、未乾燥のみの湿潤原料が第３乾燥室１１１ｃへ導入されるので、乾燥性能の向上を図ることができる。
【００５８】
図２は、乾燥炭の粒子径（μｍ）と、乾燥炭の積算重量（％）との関係図である。
この試験では、所定のスクリーン目開き（６ｍｍ）の粉砕機を通過したものを用い、乾燥装置で乾燥させた乾燥物の粒度分布を求めた。
図２に示すように、粒度分布は、約３００μｍ以下のものが約５０％あった。よって、第２乾燥室１１１ｂにおいて、３００μｍ以下の微粒を除去することで、残りはそれ以上の大粒の粒径の乾燥物及び未乾燥の原炭が第３乾燥室１１１ｃに導入され、仕上げ乾燥がなされることとなる。
【００５９】
これは、第１乾燥室１１１ａへ投入される原炭の内で、微粒は表面積が大きく乾燥速度が速いため、第１乾燥室１１１ａにて乾燥が可能であり、乾燥後の微粒が第２乾燥室１１１ｂ以降に滞留することで乾燥装置全体の効率が低下する。
そのため、第１乾燥室１１１ａで乾燥した３００μｍ以下の微粒は、第２乾燥室１１１ｂに移動した際にフリーボード部Ｆ2から飛散させて、外部に除去するようにしている。
この飛散させた乾燥炭微粒（※1）は、図示しない分離手段（除塵装置）でガスを分離した後、第３乾燥室１１１ｃから排出される乾燥炭と合流させるようにしている。
【００６０】
この結果、第２乾燥室１１１ｂにおいて、３００μｍ以下の微粒を除去することとなるので、乾燥炭を５０％程度減量することが可能となり、第３乾燥室１１１ｃでは未乾燥のもののみを乾燥させることとなるので、大幅な乾燥性能の向上を図ることができる。
【００６１】
このように、本実施例では、乾燥容器を構成する第１乾燥室１１１ａでは、上部に行くほど流動層Ｓ1の流動層断面積を広くさせ、流動層上部では空塔速度を遅くしている。これにより、供給された湿潤原料がすぐに排気側へ飛散することを防止している。
第１乾燥室１１１ａにおける流動層上部の空塔速度は、例えば０．４ｍ／ｓ程度（このましくは０．４ｍ／ｓ以下）にすることで、１００μｍ以上の粒子を、第１乾燥室１１１ａで確実に乾燥させることが可能となる。
この際、第１乾燥室１１１ａに供給する流動化ガス１０４の空塔速度は、例えば０．３〜０．６ｍ／ｓ程度（好ましくは０．５ｍ／ｓ）とするのが良い。
【００６２】
また、第１乾燥室１１１ａの下部側と、第２乾燥室１１１ｂの下部側との連通部分に段差１２０を設けているので、第１乾燥室１１１ａの底部に滞留する異物・粗粒１２１をそのまま第２乾燥室１１１ｂへ移動することを防止するようにしている。
【００６３】
第２乾燥室１１１ｂでは上部に行くほど流動層Ｓ2の流動層断面積が狭くなり、流動層Ｓ2の上部で空塔速度が大となり、乾燥がほぼ完了した微粒はそのまま装置上部から排気され、後流の除塵設備で回収させる。
第２乾燥室１１１ｂの流動層上部の空塔速度は、例えば１．５ｍ／ｓ程度にすることで、３００μｍ以下の粒子を第２乾燥室１１１ｂですべて除去することが可能となる。
この際、第２乾燥室１１１ｂに供給する流動化ガス１０４の空塔速度は例えば０．２〜０．４ｍ／ｓ程度（好ましくは０．３ｍ／ｓ）とするのが良い。
【００６４】
第３乾燥室１１１ｃでは流動・乾燥によって粒子が磨砕されて微粒子が増えるが、第１乾燥室１１１ａと同じように、その上部の流動層Ｓ3の流動層断面積を大きくすることで、１００μｍ以上の微粒子の飛散を防止し、確実に目標水分となるまで原炭を乾燥させることが可能となる。
第３乾燥室１１１ｃにおける流動層上部の空塔速度は、例えば０．１５ｍ／ｓ程度（このましくは０．１５ｍ／ｓ以下）にすることで、１００μｍ以上の粒子が内部に留まり、第３乾燥室１１１ｃで確実に乾燥させることが可能となる。
この際、第３乾燥室１１１ｃに供給する流動化ガス１０４の空塔速度は、例えば０．１５〜０．４ｍ／ｓ程度（好ましくは０．３ｍ／ｓ）とするのが良い。
【００６５】
なお、本実施例では、乾燥炭を上部側から抜き出すようにしているが、底部側から抜き出すようにしてもよい。
【００６６】
本実施例では、乾燥容器１０１内を３分割した第１乾燥室１１１ａ、第２乾燥室１１１ｂと第３乾燥室１１１ｃ内に設置される伝熱管１０６ａ、１０６ｂ、１０６ｃの配設状態は、均一状態としている。
しかし、原炭投入口１０２側の第１乾燥室１１１ａ内に設置される伝熱管１０６ａを粗い配設状態とするようにしてもよい。また、乾燥炭排出口１０３側の第２乾燥室１１１ｂ内に設置される伝熱管１０６ｂは、第１乾燥室１１１ａ内の伝熱管１０６ａよりも細かい密の配設状態とするようにしてもよい。
なお、伝熱管の間隙及び管径は、投入する湿潤燃料の処理量及び処理時間に応じて適宜変更される。
【００６７】
この伝熱管１０６ａ、１０６ｂ及び１０６ｃには、飽和蒸気Ａが供給され、内部を加熱して乾燥を行うようにしている。
本実施例では、第１乾燥室１１１ａの伝熱管１０６ａに供給する飽和蒸気の温度を１８０℃程度とし、第２乾燥室１１１ｂ及び第３乾燥室１１１ｃの伝熱管１０６ｂ、１０６ｃに供給する飽和蒸気の温度を１５０℃程度としている。
【００６８】
このように、本実施例では、第２乾燥室１１１ｂの流動層Ｓ2の流動層断面積を上部側に行くほど小さくさせることにより、乾燥が完了した微粒を外部へ排出させることで、第３乾燥室１１１ｃへの乾燥物の移行量を減らし、その分乾燥効率の向上を図るようにしている。この結果、第３乾燥室１１１ｃへ乾燥が完了した乾燥物が流入しないので、乾燥負荷が低減し乾燥時間の大幅な短縮を図ることができる。
【００６９】
よって、本実施例によれば、第１乾燥室１１１ａに投入された原炭の内で、微粒は表面積が大きく乾燥速度が速いので、第１乾燥室１１１ａにて乾燥がほぼ完了する。そして、乾燥が完了した微粒を積極的に第２乾燥室１１１ｂから外部へ排出することにより、乾燥後の微粒が第２乾燥室１１１ｂ以降に滞留することを防止し、乾燥装置全体の乾燥効率の向上を図ることが可能となる。
【００７０】
ここで、実施例１の流動層乾燥装置１２の全体の作動について説明する。
【００７１】
流動層乾燥装置１２において、図１に示すように、乾燥容器１０１に対して、原炭投入口１０２から原炭が供給されると共に、流動化ガス供給部から分散板１０８を通して、例えば水蒸気の流動化ガス１０４が供給されることで、この分散板１０８の上方に所定厚さの流動層Ｓ（Ｓ1〜Ｓ3）が形成される。湿潤燃料の原炭は、流動化ガス１０４により流動層Ｓ（Ｓ1〜Ｓ3）を乾燥炭排出口１０３側に圧密状態で徐々に移動し、このとき、伝熱管１０６ａ〜１０６ｃから熱を受けることで加熱されて乾燥される。
【００７２】
この場合、原炭は、原炭投入口１０２から乾燥炭排出口１０３まで移動する間に、伝熱管１０６ａ〜１０６ｃからの熱や流動化ガス１０４により加熱乾燥されるが、原炭投入口１０２から投入された直後の原炭は、水分濃度が高く、適正な乾燥が困難となるおそれがある。また、従来では、乾燥物が最終室まで持ち込まれることで、乾燥効率が低下することになる。
【００７３】
しかし、本実施例では、第２乾燥室１１１ｂの流動層Ｓ2の流動層断面積を上部側に行くほど小さくさせることにより、第１乾燥室１１１ａ及び第２乾燥室１１１ｂにおいて乾燥が完了した微粒を外部へ排出させることで、第３乾燥室１１１ｃへ乾燥物の移行量を減らし、その分乾燥効率の向上を図るようにしている。
この結果、第３乾燥室へ乾燥が完了した乾燥物が流入しないので、乾燥時間の大幅な短縮を図ることができる。
【００７４】
また、第１乾燥室１１１ａと第３乾燥室１１１ｃの流動層Ｓ1、Ｓ3の流動層断面積を上部側に行くほど大きくさせることにより、微粒を外部へ排出させることを極力抑えて十分に乾燥させることで、効率的な初期乾燥と最終仕上げ乾燥を行うようにしている。
【００７５】
その後、原炭が乾燥された乾燥炭は、乾燥炭排出口１０３から外部に排出され、流動層Ｓ1〜Ｓ3で原炭が加熱乾燥されることで発生した蒸気は、流動化ガス１０４と共に上昇し、乾燥炭排出口１０３側に流れ、ガス排出口１０５ａ〜１０５ｃから外部に排出される。
ここで、第２乾燥室１１１ｂで排出された乾燥された微粒の乾燥炭（※1）は別途回収され、乾燥炭排出口１０３から外部に排出された乾燥炭と合流される。
【００７６】
このように実施例１の流動層乾燥装置１２にあっては、第２乾燥室１１１ｂの流動層Ｓ2の流動層断面積を上部側に行くほど小さくさせることにより、乾燥が完了した微粒を外部へ排出させることで、第３乾燥室１１１ｃへ乾燥物の移行量を減らし、その分乾燥効率の向上を図るようにしている。この結果、第３乾燥室へ乾燥が完了した乾燥物が流入しないので、乾燥時間の大幅な短縮を図ることができるものである。
【００７７】
また、流動化ガスを導入する場合において、第２乾燥室１１１ｂと第３乾燥室１１１ｃへの流動化ガス１０４を間欠通気（間欠流動化）させることで、前室への逆混合割合を低減させて、第１乾燥室１１１ａでの定率乾燥領域を保持し、乾燥性能を向上させることができる。
また、第２乾燥室１１１ｂと第３乾燥室１１１ｃへの流動化ガス１０４を間欠通気（間欠流動化）させることで、蒸気量の低減を図ることができる。
【００７８】
図３は、流動化ガスの通気状態の一例を示す図である。
通常は、第１乾燥室１１１ａ〜第３乾燥室１１１ｃへの流動化ガス１０４の導入は、一定の連続通気としている。
【００７９】
これに対し、図３に示すように、第２乾燥室１１１ｂ及び第３乾燥室１１１ｃへの流動化ガス１０４の通気を間欠通気とさせることで、２室分に供給するガス量を１室分のみとすることが可能となる。この結果、乾燥装置全体での供給する流号ガスの供給量の低減を図ることができる。
【実施例２】
【００８０】
図４は、本発明の実施例２に係る流動層乾燥装置を表す概略側面図である。図５は、実施例２の流動層乾燥装置を表すＡ−Ａ線概略断面図である。なお、上述した実施例と同様の機能を有する部材には、同一の符号を付して詳細な説明は省略する。
【００８１】
図４及び図５に示すように、実施例２の流動層乾燥装置１２Ｂは、実施例１の流動層乾燥装置１２Ａの各乾燥室１１１ａ〜１１１ｃの流動層底部側に複数の押出フィーダであるスクリューフィーダ１３０を設置している。
本実施例では、図５に示すように、４本のスクリューフィーダ１３０が設けられ、乾燥物を第１乾燥室１１１ａから乾燥物排出口１０３側の第３乾燥室１１１ｃへ押し出すようにしている。
【００８２】
スクリューフィーダ１３０は、仕切板１１３ａ、１１３ｂと分散板１０８との間に設置してプラグフロー（押し出し流れ）性を高めるようにしている。
これにより、第２乾燥室１１１ｂや第３乾燥室１１１ｃからの逆混合割合を抑えることで、一方向流れが形成し、滞留時間分布をよりシャープにすることが可能となる。この結果、乾燥性能が向上することとなる。
また、スクリューのトラフやケーシング等に高温蒸気のトレースを施して、熱を供給することで加熱源とし、より乾燥効率を向上させるようにしてもよい。
【実施例３】
【００８３】
図６は、本発明の実施例３に係る流動層乾燥装置を表す概略側面図である。なお、上述した実施例と同様の機能を有する部材には、同一の符号を付して詳細な説明は省略する。
【００８４】
図６に示すように、実施例３の流動層乾燥装置１２Ｃは、実施例１の流動層乾燥装置１２Ａの第３乾燥室１１１ｃの側壁１０１ｄ側に、マイクロ波１４０ａを照射するマイクロ波発生手段１４０を設置するようにしている。
マイクロ波発生手段１４０には、マイクロ波発振装置１４１から発生したマイクロ波がアイソレータパワーモニタ１４２を介して供給され、このマイクロ波１４０ａの照射により、第３乾燥室１１１ｃでの仕上げ乾燥の乾燥性能を向上させることができる。
【００８５】
第３乾燥室１１１ｃはいわゆる減率乾燥域となり、粒子の表面のみの乾燥では、時間を要するが、粒子内部まで乾燥できるマイクロ波１４０ａを照射することで、ミクロポア中に残存する水分を乾燥させることができる。これは、乾燥により粒子のミクロポア中の水分の沸点は上昇しており、これにマイクロ波を照射することで、乾燥が促進され、仕上げ乾燥が良好となることによる。
【実施例４】
【００８６】
図７は、本発明の実施例４に係る流動層乾燥装置を表す概略側面図である。図８は、実施例４の流動層乾燥装置を表すＢ−Ｂ線概略断面図である。なお、上述した実施例と同様の機能を有する部材には、同一の符号を付して詳細な説明は省略する。
【００８７】
図７及び図８に示すように、実施例４の流動層乾燥装置１２Ｄは、実施例１の流動層乾燥装置１２Ａの第２乾燥室１１１ｂ及び第３乾燥室１１１ｃに配設される伝熱管１０６ｂ、１０６ｃが乾燥物の進行方向に配設される伝熱管１０６ｃと、この伝熱管と直交する方向（容器側壁１０１ｅ）から挿入される伝熱管１０６ｃ‘とで構成されている。またこの直交する伝熱管１０６ｃには、図８に示すように、所定間隔を持ってフィン１５０を鉛直軸方向に複数設置している。
【００８８】
この流動層Ｓ2，Ｓ3の層内に設置される伝熱管１０６ｂ、１０６ｃにフィン１５０を付けることで、伝熱面積の増加と隔壁効果によるプラグフロー（押し出し流れ）性の向上を図ることができる。この結果、乾燥物の滞留時間分布をシャープにすることで乾燥特性を高めることができる。
このように、第２乾燥室１１１ｂ及び第３乾燥室１１１ｃに配設される伝熱管１０６ｂ、１０６ｃにフィン１５０を所定間隔を持って設けることで、乾燥特性を高めることが可能となる。
【００８９】
本実施例では、伝熱管１０６ｂ、１０６ｃは乾燥物の進行方向と、その進行方向に直交する方向とに交差するように設置しているが、その進行方向に直交する方向の伝熱管のみとしてもよい。
【符号の説明】
【００９０】
１１  給炭装置
１２  流動層乾燥装置
１３  微粉炭機
１４  石炭ガス化炉
１５  チャー回収装置
１６  ガス精製装置
１７  ガスタービン設備
１８  蒸気タービン設備
１９  発電機
２０  排熱回収ボイラ
１０１  乾燥容器
１０２  原炭投入口（湿潤燃料投入部）
１０３  乾燥炭排出口（乾燥物排出部）
１０４  流動化ガス
１０５ａ，１０５ｂ、１０５ｃ  ガス排出口（ガス排出部）
１０６ａ，１０６ｂ、１０６ｃ  伝熱管（加熱部）
１１１ａ  第１乾燥室
１１１ｂ  第２乾燥室
１１１ｃ  第３乾燥室
１１３ａ、１１３ｂ  仕切板
Ｆ（Ｆ１、Ｆ２、Ｆ３）  フリーボード部
Ｓ（Ｓ１、Ｓ２、Ｓ３）  流動層
【図１】
2013167379.tif 000003
【図２】
2013167379.tif 000004
【図３】
2013167379.tif 000005
【図４】
2013167379.tif 000006
【図５】
2013167379.tif 000007
【図６】
2013167379.tif 000008
【図７】
2013167379.tif 000009
【図８】
2013167379.tif 000010
【図９】
2013167379.tif 000011